(57)【要約】【課題】押しボタンの数を減らして製造コストを減らしたり、操作時間を短縮したり、操作ミスを減らしたりすることができる携帯型電子機器に用いる押しボタンモジュール構造を提供する。【解決手段】携帯型電子機器に用いる押しボタンモジュール構造は、プリント回路基板１及びラバーキー２を備える。プリント回路基板１には、少なくとも１組のカーボンフィルムストリップ１１及び引出線半田付け点１２が設けられる。ラバーキー２は、一端に隆起した頭部が設けられ、他端に２つの導電カーボンフィルム粒が凹設され、プリント回路基板１の表面に設けられたカーボンフィルムストリップ１１が対応するように配置され、頭部の表面に設けられた凹弧面２３と、両端部に設けられた凸弧面２４とを有する。【選択図】図３
0003175122.tif 000002
【実用新案登録請求の範囲】
【請求項１】
プリント回路基板及びラバーキーを備えた携帯型電子機器に用いる押しボタンモジュール構造であって、
前記プリント回路基板には、少なくとも１組のカーボンフィルムストリップ及び引出線半田付け点が設けられ、
前記ラバーキーは、一端に隆起した頭部が設けられ、他端に２つの導電カーボンフィルム粒が凹設され、前記プリント回路基板の表面に設けられた前記カーボンフィルムストリップが対応するように配置され、頭部の表面に設けられた凹弧面と、両端部に設けられた凸弧面と、を有し、力を加える箇所を変えることにより所望の機能を得ることを特徴とする携帯型電子機器に用いる押しボタンモジュール構造。
【請求項２】
前記表面に設けられた凹弧面と、前記両端部に設けられた凸弧面と、を有するとともに前記ラバーキーの頭部を覆う押しボタンカバーをさらに備えることを特徴とする請求項１に記載の携帯型電子機器に用いる押しボタンモジュール構造。
【請求項３】
互いに組み合わせることが可能な１組の外カバー及び底蓋をさらに備え、
前記外カバーの中央には、少なくとも１つの貫通孔が設けられていることを特徴とする請求項１又は２に記載の携帯型電子機器に用いる押しボタンモジュール構造。
【請求項４】
前記外カバー及び前記底蓋は、互いに対応した爪部及び係合溝を有することを特徴とする請求項３に記載の携帯型電子機器に用いる押しボタンモジュール構造。
【請求項５】
前記外カバー及び前記底蓋は、ネジ又はフックにより結合して一体化させることを特徴とする請求項３に記載の携帯型電子機器に用いる押しボタンモジュール構造。
【請求項６】
前記外カバー及び前記底蓋と結合して汎用リモコンを形成することを特徴とする請求項３に記載の携帯型電子機器に用いる押しボタンモジュール構造。
【請求項７】
テレビ用リモコン、ＤＶＤプレーヤ用リモコン、ゲーム機用リモコン、エアコン用リモコンを含む、表示装置を備えない携帯型電子機器に応用することを特徴とする請求項３に記載の携帯型電子機器に用いる押しボタンモジュール構造。
【請求項８】
携帯電話、パーソナルデジタルアシスタント、電子辞書、ＭＰ３、ノート型パソコンを含む、表示装置を備えた携帯型電子機器に応用することを特徴とする請求項３に記載の携帯型電子機器に用いる押しボタンモジュール構造。
【考案の詳細な説明】
【技術分野】
【０００１】
本考案は、携帯型電子機器に用いる押しボタンモジュール構造に関し、特に、各押しボタンモジュールに３種類以上の機能を持たせ、押しボタンを１回押すだけで所定機能を得ることができるようにし、これにより押しボタンの数を減らして製造コストを減らしたり、操作時間を短縮したり、操作ミスを減らしたりすることができる携帯型電子機器に用いる押しボタンモジュール構造に関する。
【背景技術】
【０００２】
一般に携帯型電子機器は、表示装置を備えたタイプと、表示装置を備えないタイプとの２種類に分けられる。
【０００３】
図１を参照する。図１に示すように、表示装置を備えない携帯型電子機器（例えば、家庭用の汎用リモコン、テレビ用リモコン、ＤＶＤ用リモコン、ゲーム機用リモコンなど）は、電子機器に予め設定したリモコン機能の数が押しボタンの数に等しい。即ち、１つの押しボタンに対して１つの機能しか割り当てられていないため、機能が多くなるほど押しボタンの数が増える。さらに、ユーザが押しボタンを自在に操作することができるように、各押しボタン内に低抵抗のカーボンフィルム粒（ストリップ）が設けられ、電子機器製品に対して常に軽量かつ薄型が求められているため、全体の体積が同じである条件下において、押しボタンの各ボタンの間隔を小さくしたり押しボタンのサイズを小さくしたりすると、ユーザが使用する際、所望のボタンを探すことが困難となる上、これらの携帯型電子機器は、部品が多くて製造コストが多くかかり、操作が容易でなく、所望の機能を探すことが困難であり、押しボタンが反応し易いため操作ミスが起き易いなどの欠点がある上、文字、数字、符号の入力処理機能を備えていない。
【０００４】
続いて、図２を参照する。図２に示すように、表示装置を備える携帯型電子機器（例えば、携帯電話、パーソナルデジタルアシスタント、電子辞書、ＭＰ３、ノート型パソコンなど）は、押しボタンに機能性が割り当てられている以外に、文字、数字、符号入力処理機能も割り当てられ、押しボタンにより文字を入力して表示装置により表示する。各押しボタンには、少なくとも１つの機能が割り当てられている。つまり同一の押しボタンには複数の発音記号が割り当てられ、文字循環方式により入力を行う。例えば、１つの押しボタンに中文の発音記号を複数割り当て、
0003175122.tif 000003
、
0003175122.tif 000004
、
0003175122.tif 000005
を入力する場合、押しボタンを１回だけ押すと
0003175122.tif 000006
が入力され、押しボタンを２回連続して押すと
0003175122.tif 000007
が入力され、押しボタンを３回連続して押すと
0003175122.tif 000008
が入力される。このように同じボタンを連続して押すと
0003175122.tif 000009
→
0003175122.tif 000010
→
0003175122.tif 000011
→
0003175122.tif 000012
・・・が繰り返されるが、所望の発音記号を選択し忘れた場合でも戻ることができず、次に現れるまで押し続けなければならず操作の時間が無駄になる。また、ユーザが簡便に押すことができるように、各押しボタン内に低抵抗のカーボンフィルム粒（ストリップ）が設けられている。これにより、ユーザは簡便に操作して所望の機能を得ることができるが、これは操作する際、入力ミスを起こす虞がある。また、電子機器製品に対しては常に軽量かつ薄型であることが求められているため、全体の体積が同じである条件下において、押しボタンの各ボタンの間隔を小さくしたり押しボタンのサイズを小さくしたりすると、ユーザが操作する際、必要なボタンを見つけることが困難となったり所望の機能を有するボタンを探すことが困難となる上、これらのタイプの携帯型電子機器は、部品が多く、製造コストが高く、操作が容易でなく、所望の機能を探すことが困難であり、押しボタンが反応し易いため操作ミスが起き易いなどの欠点がある。
【０００５】
上述の携帯型電子機器の発展に鑑み、電子機器は、より多くの機能を備えることが求められている。例えば、表示装置を備えない電子機器には、小型の表示装置を付加的に加えたり、文字入力機能を付加したりするが、従来、これらの機能は、表示装置を備える携帯型電子機器上でしか見ることができないため、多機能化が困難であり、低コストで製造したり簡便に操作したりすることができる上、従来の欠点を有さない携帯型電子機器に用いる押しボタンモジュール構造が求められていた。
【考案の概要】
【考案が解決しようとする課題】
【０００６】
本考案の第１の目的は、各押しボタンモジュールに３種類以上の機能をそれぞれ持たせることにより、押しボタンの数を減らし、操作時間を短縮し、製造コストを減らし、操作ミスを減らすことにより、文字、数字、符号などの入力機能を得ることができる携帯型電子機器に用いる押しボタンモジュール構造を提供することにある。
本考案の第２の目的は、例えば、携帯電話、パーソナルデジタルアシスタント、電子辞書、ＭＰ３、ノート型パソコンなどの表示装置を備えた携帯型電子機器に応用することができる携帯型電子機器に用いる押しボタンモジュール構造を提供することにある。
本考案の第３の目的は、例えば、家庭用汎用リモコン、テレビ用リモコン、ＤＶＤプレーヤ用リモコン、ゲーム機用リモコン、エアコン用リモコンなどの表示装置を備えない携帯型電子機器を提供することにある。
【課題を解決するための手段】
【０００７】
上記課題を解決するために、本考案の第１の形態によれば、プリント回路基板及びラバーキーを備えた携帯型電子機器に用いる押しボタンモジュール構造であって、前記プリント回路基板には、少なくとも１組のカーボンフィルムストリップ及び引出線半田付け点が設けられ、前記ラバーキーは、一端に隆起した頭部が設けられ、他端に２つの導電カーボンフィルム粒が凹設され、前記プリント回路基板の表面に設けられた前記カーボンフィルムストリップが対応するように配置され、頭部の表面に設けられた凹弧面と、両端部に設けられた凸弧面と、を有し、力を加える箇所を変えることにより所望の機能を得ることを特徴とする携帯型電子機器に用いる押しボタンモジュール構造が提供される。
【０００８】
前記表面に設けられた凹弧面と、前記両端部に設けられた凸弧面と、を有するとともに前記ラバーキーの頭部を覆う押しボタンカバーをさらに備えることが好ましい。
【０００９】
互いに組み合わせることが可能な１組の外カバー及び底蓋をさらに備え、前記外カバーの中央には、少なくとも１つの貫通孔が設けられていることが好ましい。
【００１０】
前記外カバー及び前記底蓋は、互いに対応した爪部及び係合溝を有することが好ましい。
【００１１】
前記外カバー及び前記底蓋は、ネジ又はフックにより結合して一体化させることが好ましい。
【００１２】
前記外カバー及び前記底蓋と結合して汎用リモコンを形成することが好ましい。
【００１３】
テレビ用リモコン、ＤＶＤプレーヤ用リモコン、ゲーム機用リモコン、エアコン用リモコンを含む、表示装置を備えない携帯型電子機器に応用することが好ましい。
【００１４】
携帯電話、パーソナルデジタルアシスタント、電子辞書、ＭＰ３、ノート型パソコンを含む、表示装置を備えた携帯型電子機器に応用することが好ましい。
【考案の効果】
【００１５】
本考案の携帯型電子機器に用いる押しボタンモジュール構造は、各押しボタンモジュールに３種類以上の機能を持たせ、押しボタンを１回押すだけで所定機能を得て、この構成により押しボタンの数を減らして製造コストを減らしたり、操作時間を短縮したり、操作ミスを減らしたりすることができる。
【図面の簡単な説明】
【００１６】
【図１】従来の携帯型電子機器に押しボタンモジュールを応用したときの状態を示す模式図である。
【図２】従来の携帯型電子機器に押しボタンモジュールを応用したときの状態を示す模式図である。
【図３】本考案の一実施形態による携帯型電子機器に用いる押しボタンモジュール構造を示す分解斜視図である。
【図４】本考案の一実施形態による携帯型電子機器に用いる押しボタンモジュール構造を示すもう一つの分解斜視図である。
【図５】本考案の一実施形態による携帯型電子機器を示す斜視図である。
【図６】本考案の一実施形態による携帯型電子機器に用いる押しボタンモジュール構造を示す断面図である。
【図７】（Ａ）本考案の一実施形態による携帯型電子機器に用いる押しボタンモジュール構造を操作するときの状態を示す断面図である。（Ｂ）本考案の一実施形態による携帯型電子機器に用いる押しボタンモジュール構造を操作するときの状態を示すもう一つの断面図である。（Ｃ）本考案の一実施形態による携帯型電子機器に用いる押しボタンモジュール構造を操作するときの状態を示すさらにもう一つの断面図である。
【図８】本考案の一実施形態による携帯型電子機器に用いる押しボタンモジュール構造の応用例を示す模式図である。
【図９】本考案の他の実施形態による携帯型電子機器を示す分解斜視図である。
【図１０】本考案の他の実施形態による携帯型電子機器に用いる押しボタンモジュール構造を示す断面図である。
【考案を実施するための形態】
【００１７】
以下、本考案の実施形態について図に基づいて説明する。なお、これによって本考案が限定されるものではない。
【００１８】
図３及び図４を参照する。図３及び図４に示すように、本考案の一実施形態による携帯
型電子機器に用いる押しボタンモジュール構造の携帯型電子機器は、家庭内でよく使われる汎用リモコンである。この汎用リモコンは、プリント回路基板１と、１ピース式の多数のラバーキー（ｒｕｂｂｅｒ  ｋｅｙ）２と、互いに組み合わせることが可能な外カバー４及び底蓋５と、を含む。
【００１９】
プリント回路基板１には、少なくとも１組（即ち２つ）のカーボンフィルムストリップ（ｃａｒｂｏｎ  ｆｉｌｍ  ｓｔｒｉｐ）１１及び引出線半田付け点１２が設けられている。
【００２０】
ラバーキー２は、一端に隆起した頭部２１が設けられ、他端に２つの導電カーボンフィルム粒２２が凹設され、上述のプリント回路基板１の表面に設けられたカーボンフィルムストリップ１１が対応するように配置され、頭部２１の表面中央部に設けられた凹弧面２３と、両端部に設けられた凸弧面２４と、を有し、複数の異なる箇所に力を加えることにより所望の機能を得る。
【００２１】
外カバー４と底蓋５とは、互いに組み合わせて一体成形させる。外カバー４の中央部には、貫通孔４１が設けられ、底蓋５とともにラバーキー２を完全に覆い、ラバーキー２の一端の頭部２１の中央部に設けた凹弧面２３と、両端部に設けられた凸弧面２４との位置が貫通孔４１より高くなって露出されている。外カバー４と底蓋５とを組み合わせる際は、外カバー４の内面に設けられた複数の爪部４２と、底蓋５の内面に対応して環設された係合溝５１とを利用し、係合溝５１に爪部４２を係合させて外カバー４と底蓋５とを結合させて一体化させるが、本考案はこの態様だけに限定されるわけではなく、例えば、ネジ、フックなどにより結合して一体化させてもよい。
【００２２】
図５を参照する。図５に示すように、本考案の一実施形態による携帯型電子機器に用いる押しボタンモジュール構造は、組み立てる際、上述したユニット内のラバーキー２及びプリント回路基板１を順次、外カバー４と底蓋５との間に形成された空間内に設置し、外カバー４の爪部４２と、対応した底蓋５の係合溝５１とを係合させて汎用リモコンを形成し、各ラバーキー２は、それぞれ３種類の機能を有する。
【００２３】
図６を参照する。図６に示すように、プリント回路基板１の２つのカーボンフィルムストリップ１１の上方には、対応するように導電カーボンフィルム粒２２がそれぞれ設けられ、２つの導電カーボンフィルム粒２２上に配置したラバーキー２により異なる作動モードを選択し、ラバーキー２に外力が加わると、導電カーボンフィルム粒２２が下方に対応するように設けられたカーボンフィルムストリップ１１と接触される。
【００２４】
図７（Ａ）〜（Ｃ）を参照する。図７Ａ〜図７Ｃに示すように、ラバーキー２の左側（図面に示す矢印方向）に設けた凸弧面２４に外力が加わると、同じ側の下方に設けられた導電カーボンフィルム粒２２が、対応するように設けられたカーボンフィルムストリップ１１に対して押し付けられる。同様に、図７Ｂに示すように、ラバーキー２の右側に設けた凸弧面２４に外力が加わると、同じ側の下方の導電カーボンフィルム粒２２が、対応した位置に設けたカーボンフィルムストリップ１１に押し付けられる。さらに図７Ｃに示すように、ラバーキー２の中央部に設けた凹弧面２３に外力が加えられると、２つの導電カーボンフィルム粒２２が２つのカーボンフィルムストリップ１１に同時に押し付けられる。
【００２５】
図８を参照する。図８に示す上述の押しボタンモジュール構造は、例えば、家庭で用いる汎用リモコン、テレビ用リモコン、ＤＶＤ（Ｄｉｇｉｔａｌ  Ｖｅｒｓａｔｉｌｅ  Ｄｉｓｋ）プレーヤ用リモコン、ゲーム機用リモコン、エアコン用リモコンなど、表示装置を備えない携帯型電子機器と、例えば、携帯電話、パーソナルデジタルアシスタント、電子辞書、ＭＰ３、ノート型パソコンなど、表示装置を備える携帯型電子機器と、を含む携帯型電子機器に実際に応用するときの状態を示す。例えば、押しボタンモジュールを汎用リモコンに応用した場合、図８に示すように、外カバー４上には、押したりスライドさせたりして用いる切換スイッチ６（中国語／英語／数字／符号）及びスペースキー７（ここで切換スイッチ６及びスペースキー７は、従来の物であるため、ここでは詳述しない）と、規則的に配列された複数の押しボタンモジュール（各押しボタンモジュールは３つの動作モードを有する）と、を含み、各押しボタンには、３つの異なる動作モードが割り当てられている。各ボタンは、３つの異なる発音記号、文字、数字又は符号を代表する。即ち、１つの押しボタンに３つの押しボタンの機能が割り当てられている。従来技術との最大の違いは、中国語の発音記号、英文文字、数字又は符号を入力する際、所望の押しボタンモジュールを１回押す（左、真ん中又は右の部分）だけで簡単に入力することができる点である。例えば、中国語の「朋友」を入力する場合、１列目・１段目の押しボタンモジュール中央に設けられた凹弧面３１（即ち
0003175122.tif 000013
）を１回押してから、２列目・４段目の押しボタンモジュールの右側の凸弧面３２（即ち
0003175122.tif 000014
）を１回押し、その後、スペースキー７を１回押すと「朋」を入力することができる。続いて、３列目・４段目の押しボタンモジュールの中央部の凹弧面２３（即ち「一」）を１回押し、１列目・４段目の押しボタンモジュールの中央部の凹弧面２３（即ち
0003175122.tif 000015
）を１回押し、その後、スペースキー７（Ｓｐａｃｅ）を押すと、「友」を入力することができる。このように操作する際、中国語の発音記号、英文文字、数字、符号のうちのどれであっても、１回押すだけで入力することが可能であるため、操作にかかる時間を短縮することができる。これと同時に、各組の押しボタンモジュール内に、導電カーボンフィルム粒２２に対応した箇所にカーボンフィルムストリップ１１が設けられているため、入力ミスを減らすことができる。
【００２６】
図９を参照する。図９に示すように、本考案の他の実施形態による携帯型電子機器に用いる押しボタンモジュール構造の携帯型電子機器が家庭内でよく使われる汎用リモコンである場合、この汎用リモコンは、プリント回路基板１と、少なくとも１つのラバーキー２と、少なくとも１つの押しボタンカバー３と、互いに組合すことが可能な外カバー４及び底蓋５と、を含む。本実施形態は、上述の実施形態の押しボタンモジュール構造との最大の相違点は、以下の通りである。１ピース式又は複数のラバーキー２の頭部２１の上方に、独立した押しボタンカバー３の外カバーを増設し、押しボタンカバー３によりラバーキー２の頭部２１を覆い、表面の中央部に凹弧面３１が設けられ、表面の両端部に凸弧面３２が設けられて構成されている。この構成により、使用する際、全体の耐久性を高めて使用寿命を延ばすことにより、ラバーキーが長期間使用されても損壊することがなくなり、操作性に悪影響を及ぼすことを防ぐことができる。外カバー４及び底蓋５は、上述の実施形態と同様に互いに組み合わせて一体化し、外カバー４の中央部に設けられた貫通孔４１と、押しボタンカバー３及びラバーキー２を完全に覆う底蓋５と、が設けられ、押しボタンカバー３の凹弧面３１と、両端部に設けられた凸弧面３２との高さが貫通孔４１より高くなって露出されているため、押して操作することが容易である。
【００２７】
図１０を参照する。図１０に示すように、本考案の他の実施形態による携帯型電子機器に用いる押しボタンモジュール構造は、プリント回路基板１の２つのカーボンフィルムストリップ１１の上方に、それぞれ対応するように導電カーボンフィルム粒２２を設けることにより、２つの導電カーボンフィルム粒２２上に設置した押しボタンカバー３が異なる作動モードを選択することができるようにし、押しボタンカバー３に外力が加わらないときは、導電カーボンフィルム粒２２が上方に吊設して下方に対応したカーボンフィルムストリップ１１に接触されずに待機状態となる。そして操作して使用する際、ユーザが、実際の必要に応じて押しボタンカバー３の左側に設けられた凸弧面３２、右側に設けられた凸弧面３２又は中央部に設けられた凹弧面３１に外力を加えると、下方の導電カーボンフィルム粒２２がカーボンフィルムストリップ１１の対応した箇所に押し付けられて所望の機能を得ることができる。
【００２８】
上述したことから分かるように、本考案の押しボタンモジュール構造は、例えば、家庭用汎用リモコン、テレビ用リモコン、ＤＶＤプレーヤ用リモコン、ゲーム機用リモコン、エアコン用リモコンなどを含む、表示装置を備えない携帯型電子機器と、例えば、携帯電話、パーソナルデジタルアシスタント、電子辞書、ＭＰ３、ノート型パソコンなどを含む、表示装置を備えた携帯型電子機器と、に応用することができる。押しボタンモジュールは、表示装置を備えない携帯型電子機器に応用する場合、このタイプの携帯型電子機器自身が文字、数字、符号の入力処理機能を備えていないため、押しボタンモジュールを介して文字、数字、符号を処理する機能を得て、高い実用性及び利用価値を得ることができる。そのため、表示装置を備えない携帯型電子機器は、機能を選択することだけでなく文字、数字、符号の入力・処理を行うこともできる。押しボタンモジュールを表示装置を備える携帯型電子機器に応用する際、携帯型電子機器自身が文字、数字、符号の入力処理機能を備えているため、押しボタンモジュール構造の押しボタンの数を減らし、操作時間を短縮し、製造コストを減らし、操作ミスを減らすことができる。
【００２９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３０】
１    プリント回路基板
２    ラバーキー
３    押しボタンカバー
４    外カバー
５    底蓋
６    切換スイッチ
７    スペースキー
１１  カーボンフィルムストリップ
１２  引出線半田付け点
２１  頭部
２２  導電カーボンフィルム粒
２３  凹弧面
２４  凸弧面
３１  凹弧面
３２  凸弧面
４１  貫通孔
４２  爪部
５１  係合溝
【図１】
0003175122.tif 000016
【図２】
0003175122.tif 000017
【図３】
0003175122.tif 000018
【図４】
0003175122.tif 000019
【図５】
0003175122.tif 000020
【図６】
0003175122.tif 000021
【図７】
0003175122.tif 000022
【図８】
0003175122.tif 000023
【図９】
0003175122.tif 000024
【図１０】
0003175122.tif 000025